(57)【要約】      （修正有）【課題】コンタクトを絶縁本体に安定に保持できる電気コネクタを提供する。【解決手段】電気コネクタ１００は、外部に連通する収容溝２３と前記収容溝の上部に片持ち梁としてのアーム部２４とが形成される絶縁本体２０と、該絶縁本体の収容溝にされる保持部３１と該保持部の一端に設けられる接続部とを含む複数のコンタクト３０とを含む電気コネクタにおいて、前記コンタクトには、前記絶縁本体のアーム部の自由端に係止する係止片３４がそれぞれ形成される。【選択図】図５
0003168661.tif 000002
【実用新案登録請求の範囲】
【請求項１】
外部に連通する収容溝と前記収容溝の上部に片持ち梁としてのアーム部とが形成される絶縁本体と、
前記絶縁本体の収容溝にされる保持部と保持部の一端に設けられる接続部とを含む複数のコンタクトと、
を含む電気コネクタにおいて、
前記コンタクトには、前記絶縁本体のアーム部の自由端に係止する係止片がそれぞれ形成されることを特徴とする電気コネクタ。
【請求項２】
前記絶縁本体の前記アーム部の自由端に対応する箇所には、前記収容溝に連通する開口が形成され、前記係止片が前記開口に収容されることを特徴とする請求項１に記載の電気コネクタ。
【請求項３】
前記コンタクトの係止片は、前記保持部の両側から垂直に延出するように配置されることを特徴とする請求項１に記載の電気コネクタ。
【請求項４】
前記接続部は、前記保持部から延出する略平行な一対の延出アームと、前記延出アームの先端から前記保持部に向かって延出された略平行な一対の反転アームと、を備えていることを特徴とする請求項１に記載の電気コネクタ。
【請求項５】
前記接続部は、一対の反転アームの先端を結合する結合部が形成され、前記係止片は、前記結合部から延出するように形成されることを特徴とする請求項４に記載の電気コネクタ。
【請求項６】
前記絶縁本体は、前記アーム部に対応する収容溝の側部に孔部が形成し、前記コンタクトの保持部に前記孔部に係合する凸部が突出するように形成されることを特徴とする請求項１に記載の電気コネクタ。
【請求項７】
前記コンタクトは、前記保持部の他端から延出し、ケーブルに接続するための圧着部が形成されることを特徴とする請求項１に記載の電気コネクタ。
【考案の詳細な説明】
【技術分野】
【０００１】
本考案は、電気コネクタに関して、特に、コンタクトの構造が改善されている電気コネクタに関するものである。
【背景技術】
【０００２】
従来技術の電気コネクタは、特許文献１に示すように、絶縁本体と、該絶縁本体に保持される複数のコンタクトと、を含み、絶縁本体にコンタクトを収容するための端子溝が形成され、各コンタクトは、ケーブルに接続する長尺状の圧着部と、圧着部の基端側に設けられ、相手コネクタのコンタクトに接続される接続部と、を備える。コンタクトの底部に弾性突起としてのランスが形成され、絶縁本体の端子溝に係合穴が形成され、前記ランスが係合穴に係止することにより、絶縁本体の端子溝から抜け出すのを防止できる。
【先行技術文献】
【特許文献】
【０００３】
【特許文献１】米国特許第７１１８４２４号明細書
【考案の概要】
【考案が解決しようとする課題】
【０００４】
しかしながら、コンタクトは、前記ランスが絶縁本体の係合穴に係止することだけにより、絶縁本体に保持されるので、使用者からの抜け出す力が大き過ぎる場合に、コンタクトが絶縁本体の端子溝から離脱する恐れがあった。
【０００５】
本考案は、コンタクトを絶縁本体に安定に保持できる電気コネクタを提供することを目的とする。
【課題を解決するための手段】
【０００６】
本考案の電気コネクタは、外部に連通する収容溝と前記収容溝の上部に片持ち梁としてのアーム部とが形成される絶縁本体と、前記絶縁本体の収容溝にされる保持部と保持部の一端に設けられる接続部とを含む複数のコンタクトと、を含む電気コネクタにおいて、前記コンタクトには、前記絶縁本体のアーム部の自由端に係止する係止片がそれぞれ形成されることを特徴とする。
【考案の効果】
【０００７】
従来技術に比べ、本考案の電気コネクタは以下の利点を有し、前記コンタクトは、絶縁本体のアーム部に係合することにより、絶縁本体の収容溝に安定に保持され、コンタクトを絶縁本体の収容溝から離脱することを防止できる。
【図面の簡単な説明】
【０００８】
【図１】本考案に係る電気コネクタの第一実施状態での組立斜視図である。
【図２】図１に示す電気コネクタのほかの角度から見た組立斜視図である。
【図３】本考案に係る電気コネクタの第一実施状態での分解斜視図である。
【図４】図３に示す電気コネクタのほかの角度から見た分解斜視図である。
【図５】図１に示すА‐А線に沿った断面図である。
【図６】本考案に係る電気コネクタの第二実施状態での組立斜視図である。
【図７】本考案に係る電気コネクタの第二実施状態での分解斜視図である。
【図８】図７に示す電気コネクタのほかの角度から見た分解斜視図である。
【図９】図６に示すＢ‐Ｂ線に沿った断面図である。
【考案を実施するための形態】
【０００９】
以下、図１〜図５を参照し、本考案の電気コネクタ１００の第一実施形態について説明する。電気コネクタ１００は、絶縁本体２０と、絶縁本体２０に保持される複数のコンタクト３０と、を含む。
【００１０】
前記絶縁本体２０は、先端壁２１と、先端壁２１に対向する後壁２２と、を含み、絶縁本体２０にコンタクト３０を収容するための収容溝２３が設けられ、収容溝２３が前記後壁２２を貫通するように配置される。各収容溝２３の一側には片持ち梁状のアーム部２４が形成され、アーム部２４の自由端と絶縁本体２０との間に係止部としての開口２５が形成され、アーム部２４の収容溝２３に対向する一端にガイド面２４１が設けられる。
【００１１】
コンタクト３０は、収容溝２３に保持される保持部３１と、保持部３１の一端でケーブル（図示せず）に接続する圧着部３３と、保持部３１の他端が相手コネクタのコンタクトに接続するための接続部３２と、保持部３１の両側に垂直になるように延出して前記接続部３２と圧着部３３との間に配置される係止片３４と、を含む。接続部３２は、Ｕ字形状を呈するように、保持部３１から延出する略平行な一対の延出アーム３２１と、延出アーム３２１の先端から保持部３１に向かって延出し、かつ先端同士が結合された略平行な一対の反転アーム３５と、を備えている。そして、一対の延出アーム３２１には、互いに対向し相手コネクタのコンタクトが挿入可能な一対の接点３２２が形成される。一対の反転アーム３５の先端部は、予め相互に結合されて結合部３５１が形成され、折り曲げ加工により一対の反転アーム３５が形成される。
【００１２】
組み合わせる時に、コンタクト３０は、絶縁本体２０の後壁２２から前記ガイド面２４１の案内により収容溝２３に挿入され、挿入する過程において、アーム部２４が係止片３４に当接されて上向きに変形して、最終的に、前記係止片３４が絶縁本体２０の開口２５に係合することにより、コンタクト３０が絶縁本体２０の収容溝２３に安定に保持され、コンタクト３０が収容溝２３から抜け出すのを防止できる。
【００１３】
図６〜図９を参照すると、本考案の電気コネクタの第２実施状態であり、絶縁本体２０｀において第一実施状態と相違することは収容溝２３｀の底部に孔部２６｀が形成されていることである。コンタクト３０｀の構造は、第一実施状態と相違している。
【００１４】
図７と図８とを参照して、コンタクト３０｀は、収容溝２３｀に保持される保持部３１｀と、保持部３１｀の一端でケーブル（図示せず）に接続する圧着部３３｀と、保持部３１｀の他端が相手コネクタのコンタクトに接続するための接続部３２｀と、を含む。接続部３２｀は、保持部３１｀から延出する略平行な一対の延出アーム３２１｀と、延出アーム３２１｀の先端から保持部３１｀に向かって延出しかつ先端同士が結合された略平行な一対の反転アーム３５｀と、を備えている。そして、一対の延出アーム３２１｀には、互いに対向し相手コネクタのコンタクトが挿入可能な一対の接点３２２｀が形成される。一対の反転アーム３５｀の先端部は、予め相互に結合されて結合部３５１｀が形成され、折り曲げ加工により一対の反転アーム３５｀が形成される。前記保持部３１｀には、前記収容溝２３｀に係合する凸部３１１｀が突出するように設けられる。前記結合部３５１｀から上向きに延出して、絶縁本体２０｀の開口２５｀に係止する係止片３４｀が設けられる。
【００１５】
組み合わせる時に、コンタクト３０｀は、絶縁本体２０｀の後壁２２｀から前記ガイド面２４１｀の案内により収容溝２３｀に挿入され、先ず前記係止片３４｀がガイド面２４１｀に当接して前記反転アーム３５｀を弾性的に変形させ、最終的に、係止片３４｀が絶縁本体２０｀の開口２５｀に係合し、凸部３１１｀が前記収容溝２３の底部にある孔部２６｀に係止されることによって、コンタクト３０｀が絶縁本体２０の収容溝２３｀に安定に保持され、コンタクト３０｀が収容溝２３｀から抜け出すのを防止できる。
【００１６】
以上、本考案について最良の実施の形態を参照して詳細に説明したが、実施形態はあくまでも例示的なものであり、これらに限定されない。また上述の説明は、本考案に基づきなしうる細部の修正或いは変更など、いずれも本考案の請求範囲に属するものとする。
【符号の説明】
【００１７】
１００、１００｀  電気コネクタ
２０、２０｀  絶縁本体
２３、２３｀  収容溝
２４、２４｀  アーム部
２４１、２４１｀  ガイド面
２５、２５｀  開口
２６｀  孔部
３０、３０｀  コンタクト
３１、３１｀  保持部
３２、３２｀  接続部
３３、３３｀  圧着部
３４、３４｀  係止片
３５、３５｀  反転アーム
３１１｀  係合部
３２１、３２１｀  延出アーム
３５１、３５１｀  結合部
【図１】
0003168661.tif 000003
【図２】
0003168661.tif 000004
【図３】
0003168661.tif 000005
【図４】
0003168661.tif 000006
【図５】
0003168661.tif 000007
【図６】
0003168661.tif 000008
【図７】
0003168661.tif 000009
【図８】
0003168661.tif 000010
【図９】
0003168661.tif 000011